(57)【特許請求の範囲】
【請求項１】
支持体と、前記支持体に配置された少なくとも一つの光触媒繊維 (または光触媒ファイバー) とを備え、
前記光触媒繊維 (または光触媒ファイバー) が、複数の光触媒粒子 (または光触媒粉末)を含有した合成樹脂からなる芯 (またはコア)からなることを特徴とする光触媒装置。
【請求項２】
支持体と、前記支持体に配置された少なくとも一つの光触媒繊維 (または光触媒ファイバー) とを備え、
前記光触媒繊維 (または光触媒ファイバー) が、複数の光触媒粒子 (または光触媒粉末)を含有した合成樹脂からなる芯 (またはコア)からなり、前記芯 (またはコア)が複数の前記光触媒粒子 (または光触媒粉末)を合成樹脂内に含有させて紡糸したものであることを特徴とする光触媒装置。
【請求項３】
支持体と、前記支持体に配置された少なくとも一つの光触媒繊維 (または光触媒ファイバー) とを備え、
前記光触媒繊維 (または光触媒ファイバー) が、合成樹脂からなる芯 (またはコア) と前記芯 (またはコア) に被覆された合成樹脂からなる鞘 (またはシース)と前記鞘 (またはシース) に含有された複数の光触媒粒子 (または光触媒粉末)とからなることを特徴とする光触媒装置。
【請求項４】
支持体と、前記支持体に配置された少なくとも一つの光触媒繊維 (または光触媒ファイバー) とを備え、
前記支持体が実質的に透明な部材と前記部材に分散された複数の光散乱粒子とを有することを特徴とする光触媒装置。
【請求項５】
支持体と、前記支持体に配置された少なくとも一つの光触媒繊維 (または光触媒ファイバー) とを備え、
前記支持体が実質的に透明な部材と前記部材に分散された複数の光散乱粒子とを有し、かつ
前記光触媒繊維 (または光触媒ファイバー) が芯 (またはコア) と前記芯 (またはコア) に含有された複数の光触媒粒子 (または光触媒粉末) とからなることを特徴とする光触媒装置。
【請求項６】
支持体と、前記支持体に配置された少なくとも一つの光触媒繊維 (または光触媒ファイバー) とを備え、
前記支持体は実質的に透明な部材と前記部材に分散された複数の光散乱粒子とを有し、かつ
前記光触媒繊維 (または光触媒ファイバー) が芯 (またはコア) と前記芯 (またはコア) に被覆された鞘 (またはシース)と前記鞘 (またはシース) に含有された複数の光触媒粒子 (または光触媒粉末)とからなることを特徴とする光触媒装置。
【請求項７】
支持体と、前記支持体に配置された少なくとも一つの光触媒繊維 (または光触媒ファイバー) と、前記支持体上に配置された実質的に光線を反射する光反射層とを備え、
前記光反射層が (a) 光反射又は光散乱材料または (b) 前記支持体よりも低い屈折率を有する透明材料からなることを特徴とする光触媒装置。
【請求項８】
支持体と、前記支持体に配置された少なくとも一つの光触媒繊維 (または光触媒ファイバー) と、前記支持体上に配置された実質的に光線を反射する光反射層とを備え、
前記光反射層が (a) 光反射又は光散乱材料または (b) 前記支持体よりも低い屈折率を有する透明材料からなり、かつ前記光触媒繊維 (または光触媒ファイバー) が芯 (またはコア) と前記芯 (またはコア) に含有された複数の光触媒粒子 (または光触媒粉末) とからなることを特徴とする光触媒装置。
【請求項９】
支持体と、前記支持体に配置された少なくとも一つの光触媒繊維 (または光触媒ファイバー) と、前記支持体上に配置された実質的に光線を反射する光反射層とを備え、
前記光反射層が (a) 光反射又は光散乱材料または (b) 前記支持体よりも低い屈折率を有する透明材料からなり、かつ
前記光触媒繊維 (または光触媒ファイバー) は芯 (またはコア) と前記芯 (またはコア) に被覆された鞘 (またはシース)と前記鞘 (またはシース) に含有された複数の光触媒粒子 (または光触媒粉末)とからなることを特徴とする光触媒装置。
【請求項１０】
実質的に透明な支持体と、前記支持体に配置され光触媒を含有した繊維 (またはファイバー) からなる光触媒繊維 (または光触媒ファイバー) と、前記光触媒繊維 (または光触媒ファイバー) を活性化する光線を発生する少なくとも一つの光源を備え、
前記光源が半導体レーザー、発光ダイオード(ＬＥＤ)、またはエレクトロルミネッセンス素子 (ＥＬ) からなる半導体発光素子であり、前記半導体発光素子が前記光触媒繊維 (または光触媒ファイバー)と隣接または前記支持体に埋設して配置されたことを特徴とする光触媒装置。
【請求項１１】
光触媒作用を示さない粒子 (または粉末)に前記光触媒粒子 (または光触媒粉末)を担持させたことを特徴とする請求項１乃至請求項１０のいずれかに記載の光触媒装置。
【請求項１２】
前記光触媒装置が、前記支持体 (またはヘッド)に植毛された複数の前記光触媒繊維 (または光触媒ファイバー)からなるブラシを備えた歯ブラシまたは口腔クリーナーであることを特徴とする請求項１乃至請求項１０のいずれかに記載の光触媒装置。
【請求項１３】
前記光触媒装置が、前記支持体 (またはヘッド)に植毛された複数の前記光触媒繊維 (または光触媒ファイバー)からなるブラシを備え、
前記光触媒装置が、床、カーペット、および/または壁を掃除し得るクリーナーまたは掃除装置であることを特徴とする請求項１乃至請求項１０のいずれかに記載の光触媒装置。
【請求項１４】
前記光触媒装置が、前記支持体に吸込口を設けたクリーナーまたは掃除装置であることを特徴とする請求項１乃至請求項１０のいずれかに記載の光触媒装置。
【請求項１５】
ファンと前記ファンを回転するモーターとを内蔵した本体ケースと、集塵部と清掃ヘッド部とを備えた真空掃除機であって、
前記清掃ヘッド部に前記光触媒繊維 (または前記光触媒ファイバー)からなる複数のブラシを配置した前記支持体を設けたことを特徴とする請求項１乃至請求項１０のいずれかに記載の真空掃除機。
【請求項１６】
ファンと前記ファンを回転するモーターとを内蔵した本体ケースと、集塵部と清掃ヘッド部とを備えた真空掃除機であって、
前記清掃ヘッド部に前記光触媒繊維 (または前記光触媒ファイバー)からなる複数のブラシと吸込口とを配置したことを特徴とする請求項１乃至請求項１０のいずれかに記載の真空掃除機。
【請求項１７】
ファンと前記ファンを回転するモーターとを内蔵した本体ケースと、集塵部と清掃ヘッド部とを備えた真空掃除機であって、
前記真空掃除機の一部に前記光触媒繊維 (または光触媒ファイバー)を配置し、かつ前記真空掃除機内に前記光触媒繊維 (または光触媒ファイバー) を活性化する光触媒励起光線または前記光触媒励起光線と殺菌作用を有する殺菌光線とを発生する少なくとも一つの光源を備え、かつ
前記光源が (a) 前記支持体の近辺に配置、(b) 前記支持体に配置、または (c) 少なくとも一つの導光部材および、または光ファイバーを前記光源と前記支持体間に介在して前記支持体から離れて配置したことを特徴とする請求項１乃至請求項１０のいずれかに記載の真空掃除機。
【請求項１８】
ファンと前記ファンを回転するモーターとを内蔵した本体ケースと、集塵部と清掃ヘッド部とを備えた真空掃除機であって、
前記真空掃除機の一部に複数の前記光触媒繊維 (または光触媒ファイバー)を配置し、前記本体ケース内に前記光触媒繊維 (または光触媒ファイバー) を活性化する光触媒励起光線または前記光触媒励起光線と殺菌作用を有する殺菌光線とを発生する少なくとも一つの光源を備え、かつ
前記光源が (a) 前記支持体の近辺に配置、(b) 前記支持体に配置、または (c) 少なくとも一つの導光部材および、または光ファイバーを前記光源と前記支持体間に介在して前記支持体から離れて配置したことを特徴とする請求項１乃至請求項１０のいずれかに記載の真空掃除機。
【発明の詳細な説明】
【０００１】
【産業上の利用分野】
この発明は、物体の表面に接触又は付着した汚れ成分を、その表面から取り除いて、その表面を清掃または洗浄し、物体を清潔にするクリーニング装置に関する。更に詳細に述べると、この発明は従来のクリーニング装置と全く異なった新しい原理に基いた、光触媒を用いたクリーニング装置を提供するものである。
【０００２】
【従来の技術】
従来、例えぱ家屋、ビルディングの内部（インテリア）における床、壁、タイル、じゅうたん、浴槽、洗面器、便器、食器類などに接触又は付着した汚れ成分を清掃または洗浄する場合に、その対象に応じてブラシを用いた掃除道具、真空掃除機、モップ等の各種の清掃用具、清掃機が用いられている。
【０００３】
また従来、口腔内を清掃する場合、歯の表面や、歯と歯ぐきの間、歯ぐきの周辺に付着した汚れ成分を洗浄するために歯ブラシと歯磨剤が用いて歯磨を行っている。
【０００４】
このような清掃をされる対象物（以下に被清掃対象物と言う）に接触又は付着した汚れ成分には、繊維の屑、タバコのやに、蚤、だに等の小動物、食べ物のかす、細菌類、かび類、土、砂等いろいろがある。また小動物の死骸、食べ物のかす等の有機物の汚れ成分に細菌類、かび類が付着し増殖してますます汚れがひどくなる。
【０００５】
また口腔内の歯とその近辺に付着した汚れ成分には、口腔内の食べ物のかすなどの栄養分や水分などによって繁殖した細菌が自ら産出した物質である粘着性の歯垢と、この歯垢内に生息する多数の細菌と、この歯垢が唾液の中のカルシュウムと結合して出来た、主成分が燐酸カルシュウムからなる歯石とがある。
【０００６】
しかし従来の清掃用具、清掃機だけでは、細菌類、かび類を被清掃対象物から除去することは難しく、従来の清掃用具と石鹸等の洗浄剤、アルコール、クレゾール等の消毒剤とを用いて細菌類、かび類を被清掃対象物から除去している。
【０００７】
また上記歯垢は、粘着性が高く水にも溶けないために、通常の歯磨を行う程度では歯から取り除くことが困難である。そして上記歯垢が歯のエナメル質を溶かして虫歯となってしまう。また上記歯石は、固く歯に付着しているために歯を磨く程度では取り除くことが更に困難である。したがって歯科医院で定期的に歯に付着した歯石を工具を用いて物理的に除去してもらう必要がある。
【０００８】
最近、酸化チタン等のの光触媒機能を利用して汚れを防止したり汚れを除去する技術が注目されている。この光触媒性の酸化チタン等は、紫外線などの短波長光線の照射により活性化されて強い酸化力を生じ又は活性酸素を発生し、表面に接触または付着した物質を分解すると言われている。またこの光触媒性の酸化チタンは、短波長光線の照射により自由電子が発生し、その自由電子が表面に付着した物質と反応して、その物質を分解する。
【０００９】
また酸化チタンの光触媒機能を利用した従来技術としては、光触媒性酸化チタン溶液を通常のタイル表面にスプレーした後に高温で焼き付けた汚れ防止用タイル、ガラスや、酸化チタン粒子をパルプ繊維上に分散したタバコのヤニを分解し臭いを消す紙等が知られている。これらはいずれも被清掃対象物そのものの表面に光触媒性酸化チタンを含有させて、その表面に汚れ成分が付着するのを防止し、付着した汚れ成分を分解するものである。
【００１０】
【発明が解決しようとする問題点】
従ってこの発明の主な目的は、被清掃対象物と接触、接近する清掃ヘッド部に光触媒成分を含有させて光触媒成分の物理的な酸化作用を利用することによりにより、洗浄剤、消毒剤などを一切使用しないか、それらを最小量のみ使用して、被清掃対象物の表面に付着した細菌類、かび類を含む汚れ成分を分解し、除去できるようにした光触媒を用いたクリーニング装置を提供するものである。
【００１１】
この発明の他の主な目的は、被清掃対象物と接触、接近する清掃ヘッド部に光触媒成分を含むブラシを持つ光触媒を用いたクリーニング装置を提供するものである。
【００１２】
またこの発明の他の目的は、被清掃対象物のみならず清掃ヘッド部自体の汚れの付着を防止し、又付着した汚れ成分を分解、除去して清潔に保つことが出来る光触媒を用いたクリーニング装置を提供するものである。
【００１３】
この発明の更に他の目的は、以下に詳細に説明する各種の実施例の説明から明らかとなる。
【００１４】
【課題を解決するための手段】
上記目的を達成するために、この発明のクリーニング装置では、光触媒成分を含む柔軟性のある接触部材を持つ清掃ヘッド部と、上記光触媒成分を活性化する比較的に短波長の光線を発生する光源と、上記清掃ヘッド部と上記光源との間に設けた光を伝達する導光性部材とを備えている。
【００１５】
上記目的を達成するために、この発明の一実施例のクリーニング装置では、光触媒成分を含む柔軟性のある接触部材を持つ清掃ヘッド部と、上記光触媒成分を活性化する比較的に短波長の光線を発生する光源と、上記清掃ヘッド部と上記光源との間に設けた光を伝達する導光性部材とを備えると共に、上記清掃ヘッド部の接触部材が、多数の光触媒粒子を含有するブラシを備えている。
【００１６】
上記清掃ヘッド部は、多数の光触媒粒子を含有するブラシと上記ブラシを保持する光透過性のブラシ支持体とから構成され、上記ブラシ支持体と上記光源との間に、光を伝達する導光性部材とを設けることが出来る。
【００１７】
上記ブラシ支持体内に複数の光散乱性粒子を分散することが出来る。
【００１８】
上記導光性部材は、周囲に屈折率の低い被覆を設けた屈折率の高い棒状、パイプ状の導光性部からなることが出来る。
【００１９】
上記導光性部材は、光ファイバーからなることが出来る。
【００２０】
光触媒性の酸化チタン等の光触媒性金属酸化物は、比較的に紫外線等の短波長の光線の照射により活性化されて強い酸化力を生じ、表面に接触または付着した物質を分解することが知られている。したがって上記光触媒成分として、比較的に短波長の光線の照射により活性化してこの成分と接触または付着する、例えば、小動物とその死骸、細菌類、かび類、タバコのやになどの各種の物質をを酸化し、分解できる光触媒性を持つ酸化チタン等の光触媒機能を持つ金属酸化物を用いることが出来る。
【００２１】
前記短波長光線によって活性化する光触媒を含む前記光触媒層２０に含有される光触媒材料としては、例えば二酸化チタン（ＴｉＯ２）（光励起波長３８８ｎｍ以下）、酸化タングステン（ＷＯ２）（光励起波長３８８ｎｍ以下）、酸化亜鉛（ＺｎＯ）（光励起波長３８８ｎｍ以下）、硫化亜鉛（ＺｎＳ）（光励起波長３４４ｎｍ以下）、酸化錫（ＳｎＯ２）（光励起波長３２６ｎｍ以下）等の半導体の金属酸化物等が用いられる。または例えぱ二酸化チタンに微量の白金等を坦持させた特殊金属坦持光触媒は光触媒作用が向上する。なお、この光触媒とその原理、作用および応用等については、例えば「光が関わる触媒化学」（季刊、化学総説、Ｎｏ．２３）、特にＰ５１−１７８、（ＩＩＩ章、半導体の光触媒作用）の欄、財団法人日本化学会編集、１９９４年７月発行、「触媒のおはなし」植村、上松著、１９９４年３月、財団法人、日本規格協会発行、「新素材ハンドブック」新素材ハンドブック編集委員会編著、Ｐ５０８−Ｐ５１０、第３１・２・２項の無定形酸化物触媒の項の記載、１９８８年１月、丸善株式会社発行、「触媒の科学」田中、田丸著、１９８８年７月、産業図書株式会社発行、「酸化チタン−物性と応用技術」清野著、１９９３年３月、技報堂出版株式会社発行等に詳細に記載されている。
【００２２】
【作用】
上記光源から放射された紫外線は、光ファイバーなどの導光性部材の一端から入射され上記導光性部内を内部全反射を繰り返して外部にほとんど漏れ出ること無く上記導光性部の他端まで伝達され、上記清掃ヘッド部の光触媒成分を照射する。したがって上記清掃ヘッド部の光触媒成分と接触した被清掃対象物の表面に接触又は付着した汚れ成分は酸化し、分解される。
【００２３】
【実施例】
この発明の各種の実施例を以下に図面を参照して詳細に説明する。
【００２４】
（実施例１）この発明の実施例１を図１、図２、図３、図４および図５を参照して説明する。図１は、この発明で用いる清掃ヘッド部１００を説明する、拡大斜視図である。図２は、清掃器具１２０を断面図として示した、この発明のクリーニング装置の実施例１の説明図である。図３は、図２で示した清掃器具１２０の断面内における光の伝達経路を示す説明図である。図４は、図３で示した清掃ヘッド部１００とハンドル部３１０の一部を拡大断面図として示し、清掃ヘッド部１００とその近辺のハンドル部３１０断面内における光の経路を示す説明図である。
【００２５】
図５は、この発明の一実施例で使用する清掃ヘッド部１００にけるブラシ群１０の一本のブラシを拡大して示す拡大断面図である。
【００２６】
図１、図２、図３および図４において、この実施例１のクリーニング装置は主として清掃器具１２０と光源２００と光ファイバー３００とからなる。清掃器具１２０は、清掃ヘッド部１００と清掃ヘッド部１００から延長または連結した光透過性すなわち導光性部からなるハンドル部３１０とからなる。清掃ヘッド部１００は、複数のブラシからなり光触媒成分を含む光触媒ブラシ群１０と、光触媒ブラシ群１０を埴毛し固定して、光触媒ブラシ群１０を支持する光透過性の材料または光線を散乱する多数の光散乱粒子２２（図４参照）を光透過性の材料内に分散した、光透過性のある光透過性ブラシ支持体２０とからなる。ハンドル部３１０の清掃ヘッド部１００から遠いい端末には矢印６１（図２、図３参照）で示すように外部からの光を導入するための光導入穴等の光導入部３２（図２、図３参照）が設けられている。
【００２７】
この実施例では、ハンドル部３１０は高い屈折率を持つ導光性部材からなる光透過性の棒（ロッド）３０の周辺に屈折率が棒３０より低い光透過性の材料の光透過性被覆層３１を設けている。ハンドル部３１０の高屈折率の導光性部材の棒（ロッド）３０は光ファイバーの芯（コア）に相当し、低屈折率の光透過性被覆層３１は光ファイバーの鞘（クラッディング）に相当するので、このハンドル部３１０は光ファイバーと同様に外部の空気へ光が漏れるのを防ぎ、清掃ヘッド部１００へ光を効率良く伝達させることが出来る。
【００２８】
光透過性ブラシ支持体２０を構成する材料としては、例えば石英ガラス、クリスタル・ガラス等のガラス、またはアクリル樹脂、ポリカーボネート樹脂、ふっそ樹脂等のプラスチックス等の紫外線透過性の良い材料を使用するのが望ましい。また光透過性ブラシ支持体２０に適度の光散乱性を与える光散乱性粒子２２としては通常の酸化チタンなどの周知の白色顔料を使用できる。
【００２９】
図２から図４の符号７０は被清掃対象物を示し、符号７２は上記被清掃対象物７０の表面に付着または接触した汚れ成分を示す。
【００３０】
上記光源２００として、殺菌灯、ブラック・ライト（ｂｌａｃｋ ｌｉｇｈｔ）などの波長３８００オングストローム（ａｎｇｓｔｒｏｍ）以下の紫外線に富む光線を放射する紫外線光源を用いるのが望ましい。また光源２００として光線に紫外線を含んでいる蛍光灯などを用いることが出来る。
【００３１】
上記殺菌灯は、低圧水銀放電管の放電によって放射される、波長２５３７オングストローム（ａｎｇｓｔｒｏｍ）の光線を最大光強度とし、波長約２３００から約２８００オングストロームまでの範囲の紫外線（ＵＶ光線：ｕｌｔｒａｖｉｏｌｅｔ ｒａｙ）を発生し、上記光触媒成分に吸収され上記光触媒成分を強力に活性化する。そして同時に、細菌類、かび類などに対して強力な殺菌効果、消毒効果を示す。また上記殺菌灯は蛍光灯の蛍光塗料の塗布をやめ外管に使用するガラスとして透明石英すなわち透明溶融石英（トランスペアレント・ヒューズド・クォーツ、ｔｒａｎｓｐａｒｅｎｔ ｆｕｓｅｄ ｑｕａｒｔｓ）などの、紫外線透過ガラスのバルブを使用した低圧水銀ランプである。
【００３２】
また上記ブラック・ライト（ｂｌａｃｋ  ｌｉｇｈｔ）は、可視光線をカットする黒色フィルタを併用するか、黒色フィルタを兼ねる紫外線透過ガラスのバルブを使用した波長約３６００オングストロームの光線を最大光強度とし、波長約３０００から３８００オングストロームまでの範囲の紫外線を発生する低圧水銀ランプである。しかしこの発明では可視光線を含んでいても良いので、上記ブラック・ライトから可視光線をカットする黒色フィルタを削除するか、又は可視光線に対して透明な紫外線透過ガラスのバルブを用いた、より低コストの低圧水銀ランプを用いることが出来る。
【００３３】
更にまた上記光源２００として、人体に対して健康作用を与える太陽光線が含む紫外線の波長２８００から３１００オングストロームまでの健康光線を発光する良く知られている健康ランプを用いることが出来る。この健康ランプには紫外線透過性ガラスのバルブを用いた蛍光灯、白熱電球および高圧水銀灯がある。
【００３４】
再び図２において、上記光源２００の前面に集光レンズ４０、その背面に反射鏡４２が配置されている。光源２００と集光レンズ４０と反射鏡４２とは共にライト・ボックス即ちランプ・ハウス４４内に収納されている。電源コンセント４８から供給された電力は、電源コンセント４８と接続４７された点灯制御回路４６に入力される。点灯制御回路４６はこれと接続４５された光源２００の点灯を制御する。
【００３５】
光ファイバー３００は、単数本または複数本の紫外線導光性の光ファィバーと保護被覆とからなる柔軟性のある紫外線導光性の光ファイバー・コードまたは紫外線導光性の光ファイバー・ケーブルからなる。その光ファイバー３００の一方の端末には光ファイバー・コネクター５０が接続されている。そして光ファイバー・コネクター５０は、清掃器具１２０のハンドル部３１０の一端末の光導入穴３２に着脱自在に接続できるようになっている。またその光ファイバー３００の他方の端末に他方の光コネクター５２が接続されている。そして他方の光コネクター５２はライト・ボックスまたはランプ・ハウス４４の光出力部と着脱自在に接続できるようになっている。光源２００から放射された光線６０は集光レンズ４０で集光され、他方の光コネクター５２に入射する。そして他方の光コネクター５２に入射した光は、光ファイバー３００内を伝送して、一方の光ファイバー・コネクター５０に伝わる。一方の光ファイバー・コネクター５０に伝わった光は光導入穴３２を経由して光透過性のハンドル部３０内に入る。
【００３６】
紫外線導光性のある上記光ファイバー３００および上記清掃器具１２０の紫外線導光性のあるハンドル部３１０を構成する材料としては、紫外線導光性の光学材料、即ちコア（ｃｏｒｅ：芯）およびクラッド（ｃｌａｄ：鞘、被覆材）として、高純度溶融石英、サフアイア、ホウケイ酸ガラスなどの無機光学材料、ジメチル・シリコーン（ｄｉｍｅｔｈｉ  ｓｉｌｉｃｏｎｅ）などのシリコーン系樹脂（ｓｉｌｉｃｏｎｅ  ｂａｓｅ  ｐｌａｓｔｉｃｓ  ｏｒ  ｒｅｓｉｎ）、ポリカーボネート（ｐｏｌｙｃａｒｂｏｎａｔｅ）樹脂、フッ化炭素系（ｃａｒｂｏｎ  ｆｉｕｏｒｉｄｅ  ｂａｓｅ）樹脂などの有機光学材料を用いることができる。なお、上記材料の内でコア部としては比較的に屈折率の高いものを用い、クラッド部として比較的に屈折率の低いものを組み合わせて用いる必要があるのは当然のことである。
【００３７】
上記紫外線域の光フアイバー３００としては、例えば三菱電線工業株式会社（ＭＩＴＳＵＢＩＳＨＩ  ＣＡＢＬＥ  ＩＮＤＵＳＴＲＩＥＳ，ＬＴＤ．）から市販されている下記の表１に記載の紫外線用光フアイバー（ＳＴ−Ｕシリーズ）（波長０．２６ｍｉｃｒｏｎ  ｍｅｔｅｒにおける減衰量：６ｄＢ／１０ｍｅｔｅｒまたはそれ以下）を用いることができる。
【００３８】
【表１】
0003662068.tif 000002
【００３９】
特に図３と図４とを参照して、紫外線導光性のあるハンドル部３１０の紫外線導光性の棒３０の屈折率Ｎ１は光透過性被覆層３１の屈折率Ｎ２より高く設定してあるので、ハンドル部３１０の光導入部３２に入射した光６１は、外部の空気中へ漏れる量が少なく、両者の境界面で光ファィバーの光伝達原理に相当する内部全反射を繰り返して（符号６２で示す）、清掃ヘッド部１００に効率良く伝達される。この清掃ヘッド部１００の光透過性のブラッシ支持部２０に到達した光を符号６３で示す。
【００４０】
図４に示す例では、清掃ヘッド部１００は光透過性の材料内に光散乱性の多数の粒子２２を混入して光散乱性としてある。従って清掃ヘッド部１００のブラッシ支持部２０に到達した光６３は多数の粒子２２で散乱して散乱光６４となり、これらの散乱光６４の一部が清掃ヘッド部２０の前面２０ａから出射して光触媒成分を含む光触媒ブラッシ群１０に入射する。そして光触媒ブラッシ群１０に入射した光は光触媒成分を活性化して光触媒ブラッシ群１０と接触した汚れ成分７２を酸化し、分解する。
【００４１】
再び図１、図４を参照して、清掃ヘッド部１００のブラッシ支持部２０の前面２０ａを除く背面２０ｂと側面２０ｃとにブラッシ支持部２０の光透過性の主材料より低い屈折率の材料または光散乱性の材料または光反射性の材料で被覆するのが望ましい。このようにした場合には、ほとんどの散乱光６４を、前面２０ａから集中してブラッシ支持部２０の前面２０ａから出射させ光触媒成分を含むブラッシ群１０に入射させることが出来る。
【００４２】
次に図５はこの発明の一実施例で使用する清掃ヘッド１００における光触媒成分を含む光触媒ブラシ群１０の一本のブラシまたは繊維の拡大断面図である。図５ａに示す光触媒性繊維１０は、通常の合成繊維を芯（コア）１０ａとし、その周囲を多数の光触媒粒子を含有させた通常の合成樹脂の鞘（シース）１０ｂで囲んだ複合繊維である。また図５ｂに示す光触媒性繊維１０は、通常の合成繊維１０ｃ内に多数の光触媒粒子１０ｄを含有させた合成繊維である。
【００４３】
更に詳細に述べると、図５ａの場合には、光触媒性繊維１０は、光触媒性の酸化チタン等の光触媒性金属酸化物の微粉末または光触媒性を持たない通常の微粉末に光触媒性金属酸化物を被覆させたものを、例えばナイロン樹脂内に練りこんだ後に、例えばポリエステル繊維の表面に被覆したものである。また図５ｂの場合には、光触媒性繊維１０は、光触媒性の酸化チタン等の光触媒性金属酸化物の微粉末または光触媒性を持たない通常の微粉末に光触媒性金属酸化物を被覆させたものを、例えぱナイロン樹脂内に練りこんだ後に、紡糸して繊維状にしたものである。
【００４４】
前記光触媒粒子（１０ｄなど）として、二酸化チタン（ＴｉＯ2）は反応力の大きさ、持続性（耐久性、寿命）、安全性（化粧品、食品に添加しても無害）等からいかなる分野にも利用出来る。この二酸化チタンの結晶型にはアナターゼとルチルとがある。アナターゼ型二酸化チタンは光触媒として優れていることが知られている。またルチル型とアナターゼ型二酸化チタンを混合したものはアナターゼ型の含有量が増加すると光触媒効率が向上し、約１５％程度で光触媒効率が飽和することが知られている。またこの二酸化チタンは上限として太陽光の長波長紫外線を含む約４１０ｎｍの波長の光まで吸収出来る。光散乱能力、隠ぺい力の優れた一般に白色顔料として用いられている平均径０．２マイクロｍから０．３マイクロｍの顔料用酸化チタンと異なり、光触媒として効率の良い二酸化チタンは、約１０分の１の平均径０．０１５マイクロｍから０．０５マイクロｍ（１５ｎｍから５０ｎｍ）の微結晶からなり、超微粒子酸化チタン又は透明酸化チタンと呼ばれており、市販されている。この超微粒子酸化チタンは約４１０ｎｍ以下の紫外光線を吸収し可視光線を透過する。
【００４５】
この実施例のクリーニング装置を使用方法を図２、図３、図４で説明すると、まず電源コンセント４８を商用電源のソケットに差し込み、点灯制御回路４６を動作させて、光源２００を点灯させる。光ファイバー３００の一方の光コネクター５２をランプ・ハウス４４の光出射部に接続し、他方の光コネクター５０を清掃器具１２０のハンドル部３１０の光導入部３２に接続する。清掃器具１２０のハンドル３１０を手で持って、その清掃ヘッド部１００のブラッシ群１０を失印７４で示すように前後に動かせながら被清掃対象物７０の表面を擦り、その表面またはそのすき間をブラッシングする。被清掃対象物７０の表面などに付着または接触した汚れ成分７２は、清掃ヘッド部１００から出射する紫外線６３、６４の照射よって活性化された光触媒成分を含むブラッシ群１０に接触または接近して分解し、除去される。ほぼ同時に上記汚れ成分７２は、直接、紫外線６３、６４の照射よって分解、除去される。
【００４６】
（実施例２）図６は、清掃器具１３０を断面図として示した、この発明のクリーニング装置の実施例２の説明図である。
【００４７】
全ての実施例において、同一な部分、同一な部材には、同一な符号を付けてある。この実施例２では、主として実施例１と異なる点を説明し、実施例１と共通な部分については重複を避けるために説明を出来るだけ省略する。
【００４８】
図６において、この実施例のクリーニング装置は主として清掃器具１３０と光源２００と光ファイバー３００とからなる。清掃器具１３０は、清掃ヘッド部１００と清掃ヘッド部１００から延長または連結した内部が中空のパイプ状のハンドル部３２０とからなる。清掃ヘッド部１００は、複数のブラシからなり光触媒成分を含む光触媒ブラシ群１０と、光触媒ブラシ群１０を埴毛し固定して、光触媒ブラシ群１０を支持する光透過性の材料または光線を散乱する多数の光散乱粒子２２（図４参照）を光透過性の材料内に分散した、光透過性のる光透過性ブラシ支持体２０とからなる。
【００４９】
この実施例では、光ファイバー３００の一方の端末は清掃ヘッド部１００に光ファイバー・コネクター等により接続されている。そしてこの光ファイバー３００は、パイブからなるハンドル部３２０内部を経由して、外部に引き出される。その光ファイバー３００の他方の端末に光コネクター５２が接続されている。そして他方の光コネクター５２はライト・ボックスまたはランプ４４の光出力部と着脱自在に接続できるようになっている。光源２００から放射された光線６０は集光レンズ４０で集光され、他方の光コネクター５２に入射する。そして他方の光コネクター５２に入射した光は、光ファイバー３００内を伝送して、清掃ヘッド部１００に伝わる。
【００５０】
（実施例３）図７は、清掃器具１４０を断面図として示した、この発明のクリーニング装置の実施例３の説明図である。この実施例３では、主として実施例１と異なる点を説明し、実施例１と共通な部分については重複を避けるために説明を出来るだけ省略する。
【００５１】
図７において、この実施例のクリーニング装置は主として清掃器具１４０と光源２００と点灯制御回路４６とからなる。清掃器具１４０は、清掃ヘッド部１００と、清掃ヘッド部１００から延長した断面がテーパー状に拡大する光透過性の首部１００ａと、内部が中空のパイプ状のハンドル部３３０とからなる。清掃ヘッド部１００は、複数のブラシからなり光触媒成分を含む光触媒ブラシ群１０と、光触媒ブラシ群１０を埴毛し固定して、光触媒ブラシ群１０を支持する光透過性の材料または光線を散乱する多数の光散乱粒子２２（図４参照）を光透過性の材料内に分散した、光透過性のる光透過性ブラシ支持体２０とからなる。
【００５２】
この実施例では、ハンドル部３３０内の空間に、光源２００と反射鏡４２と点灯制御回路４６とを収納している。ハンドル部３３０の一端には光コネクターなどにより光学的に接続され、また互いに固定される。点灯制御回路４６の一端は、電源コード４７と電気的に接続され、電源コンセント４８を経由して商用電源から電力を供給される。点灯制御回路４６の出力により、光源２００が点灯される。光源２００から出射した短波長光線は反射鏡４２により集められ、光コネクター７４、光透過性の首部１００ａを伝送して、清掃ヘッド部１００の光透過性のブラッシ支持体２０内に入る。
【００５３】
（実施例４）図８は、清掃器具１５０を断面図として示した、この発明のクリーニング装置の実施例４の説明図である。また図９は、図８で示した清掃ヘッド部１００と首部１００ａの近辺を拡大断面図として示し、光の経路を示す説明図である。この実施例４では、主として実施例１、実施例３と異なる点を説明し、実施例１、実施例３と共通な部分については重複を避けるために説明を出来るだけ省略する。
【００５４】
図８、図９において、この実施例のクリーニング装置は、実施例３と同様に主として清掃器具１４０と光源２００と点灯制御回路４６とからなる。清掃器具１４０は、清掃ヘッド部１００と、清掃ヘッド部１００における光透過性のブラッシ支持部２０の側面から垂直方向にに延長した光透過性の首部１００ａと、光源２００と反射鏡４２と点灯制御回路４６とを収納している内部が中空のパイプ状のハンドル部３３０とからなる。
【００５５】
図９に示すように、点灯された光源２００から出射した短波長光線は反射鏡４２により集められ、光コネクター７４を経由してテーパー状の光透過性の首部１００ａ内に伝わる。光透過性の首部１００ａ内に伝わった光線は、直進するかまたはテーパー状の界面を内部全反射２６を多数回繰り返して伝送して、清掃ヘッド部１００の光透過性のブラッシ支持体２０内に入り、入射光線６３となる。この入射光線６３は、光透過性のブラッシ支持体２０内の多数の光散乱粒子２２に当たって散乱し、散乱光６４となる。そして散乱光６４は光触媒ブラッシ１０を照射し、光触媒ブラッシ１０を活性化する。
【００５６】
（実施例５）図１０は、この発明のクリーニング装置の実施例５の清掃ヘッド部１００と首部１００ａを断面図として示した、説明図である。図１０に示す実施例では、清掃ヘッド部１００は多数の光散乱粒子２２を含む光透過性のブラッシ支持体２０に、光触媒を含む光触媒ブラッシ１０と光触媒を含まない通常の透明なブラッシ１２とを交互に埴毛したものである。したがってこの実施例では散乱光６４は、直接、光触媒ブラッシ１０を照射するか、または通常の透明なブラッシ１２を経由して光触媒ブラッシ１０を照射する。
【００５７】
（実施例６）図１１は、この発明のクリーニング装置の実施例６の清掃ヘッド部１１０とヘッド首部２６を断面図として示した、説明図である。図１１に示す実施例では、清掃ヘッド部１１０は、短波長光線６６を放射する発光ダイオードまたは半導体レーザー等の半導体発光素子２２０ａを基板２２０ｂ上に実装した半導体発光素子２２０を、光透過性プラスチックス樹脂の内に埋設すると共に、ブラッシ支持体２４に、光触媒を含む光触媒ブラッシ１０を埴毛したものである。なお符号２２０ｃは半導体発光素子２２０ａに電力を供給するためのリード線である。
【００５８】
（実施例７）図１２は、この発明のクリーニング装置の実施例７の清掃ヘッド部１１２と首部２６を断面図として示した、説明図である。
【００５９】
図１２に示す実施例では、清掃ヘッド部１１２は、反射電極膜２３０ｃと透明電極膜２３０ｂの間に電界発光蛍光体膜２３０ａを挟んだ、短波長光線６６を放射するエレクトロルミネッセンス素子２３０を、光透過性ブラスチックス樹脂のブラッシ支持体２５内に埋設すると共に、光触媒を含む光触媒ブラッシ１０を埴毛したものである。なお符号２３０ｄはエレクトロルミネッセンス素子２３０に電力を供給するためのリード線である。
【００６０】
（実施例８）この発明のクリーニング装置の実施例８を、図１３、図１４を参照して説明する。図１３は、本発明を真空掃除機に適用したこの発明のクリーニング装置の実施例８の概念的な説明図である。図１４は、図１３に示す実施例８の清掃ヘッド部１１４の近辺を拡大した断面図である。
【００６１】
図１３において、通常の真空掃除機は、清掃ヘッド（吸込口体）１１４とパイプ状ハンドル部３４０とからなる清掃器具１６０と、真空掃除機の本体５００と、ハンドル部３４０と本体５００とを接続するフレキシブル・ホース３３０とからなる。通常の真空掃除機の本体５００には、主として集塵ケース５００ａと、モーター５００ｂと、モーター５００ｂによって高速回転するファン５００ｃとが内蔵されている。そして真空掃除機の本体５００のが床の上を容易に移動できるように、車輪５００ｄを持っている。真空掃除機の本体５００内部のモーター５００ｂが回転すると同時に、ファン５００ｃが回転し、その前方の空気は圧力が低下する。したがって床７０の上のごみなどの汚れ成分７２は、清掃ヘッド１１４から空気と一緒に吸入され、ハンドル３４０の内部、フレキシブル・ホース３３０を経由して、本体５００内の集塵ケース５００ａに収納される。符号８０で示す矢印はこのときの空気の流れを示す。
【００６２】
図１３に示すように、この実施例の真空掃除機の本体５００内部には、更に短波長光源２００と、この光源の点灯を制御する点灯制御回路４６が内蔵されている。清掃ヘッド１１４と短波長光源２００との間に、短波長光線を伝送できる光ファイバー３００が、光ファイバー・コネクター５４、５５により光学的に着脱自在に接続されている。したがって短波長光源２００から放射されて短波長光線は光ファイバー３００を経由して、清掃ヘッド１１４内部に伝送される。次いでこの光線は、清掃ヘッド１１４内部の光透過性ブラッシ支持部２０に伝わり、光触媒を含む光触媒ブラッシ群１０を照射する。
【００６３】
図１４に示すように、清掃ヘッド１１４はヘッド・ケース１１４ａ内に光透過性ブラッシ支持部２０を収納、保持し、床などの被清掃対象物７０の表面と接近または接触したときに内部空間を気密に保つ構造となっている。光透過性ブラッシ支持部２０には、図５と共に説明した光触媒を含む繊維からなる光触媒ブラッシ群１０が埴毛してある。また光透過性ブラッシ支持部２０には、吸込口１１４ｂが設けられている。ヘッド・ケース１１４ａの一端には接続パイプ１１４ｃが固定され、このパイブ１１４ｃは図１３に示すハンドル部３４０と接続されている。図１３に示す掃除機本体５００に接続された光ファイバー・コネクター５５から延長された光ファイバー３００は、ヘッド・ケース１１４に固定された他の光ファイバー・コネクター５４と接続される。光ファイバー・コネクター５４と光透過性ブラッシ支持部２０に固定された更に他の光ファイバー・コネクター５４ａ間には短い光ファイバー３００ａが接続され光学的に互いに結合している。したがって、床などの被清掃対象物７０の表面に付着した汚れ成分７２は、光触媒ブラッシ群１０のブラッシングによって強制的に表面から遊離し、空気の流れ８０にしたがって、吸込口１１４ｂからヘッド・ケース１１４ａ内の上部に移動し、次いで接続パイブ１１４ｃから出ていく。光ファイバー３００を経由して、清掃ヘッド１１４内部に伝送された短波長光線は、清掃ヘッド１１４内部の光透過性ブラッシ支持部２０に伝わり、光触媒を含む光触媒ブラッシ群１０を照射する。光触媒ブラッシ群１０は、短波長光線の照射により活性化され、光触媒ブラッシ群１０と接触した汚れ成分７２を光触媒作用により酸化、分解し浄化する。
【００６４】
（実施例９）図１５は、清掃器具１７０を断面図として示した、この発明のクリーニング装置の実施例９の説明図である。この実施例では、主として実施例１と異なる点を説明し、実施例１と共通な部分については重複を避けるために説明を出来るだけ省略する。この実施例を口腔内の清掃装置に適用した場合に付いて説明する。この口腔内の清掃装置は、主として光透過性のブラッシ支持体２０に光触媒ブラッシ群１０を埴毛した清掃ヘッド１００と、このブラッシ支持体２０から延長した光透過性の棒３０の上に光透過被覆層３１を設けたハンドル部３５０とからなる歯ブラシ部（清掃器具）１７０と、ランプ・ハウス４４内に設けた短波長光源２００と、歯ブラシ部１７０の光透過性の棒３０の端部に設けた光導入部３２と上記光源２００との間に両端に光ファイバー・コネクター５０、５２を持つ光ファイバー３００とを介在させたものである。
【００６５】
上記光源２００から放射された短波長光線６１は、上記光ファイバー３００を経由して、上記ハンドル部３５０内に入射し、次いで上記短波長光線６１は上記ハンドル部３５内を伝達して、上記光触媒ブラッシ群１０を埴毛した上記清掃ヘッド１００内に入射する。上記清掃ヘッド１０に入射した上記短波長光線は上記光触媒ブラッシ群１０を照射し、上記光触媒ブラッシ群１０に含有した上記光触媒成分を活性化する。したがって上記歯ブラシ部１７０を用いて、歯の表面や、歯と歯ぐきの間、歯ぐきの周辺等をブラッシングすると、口腔内の食べ物のかす、細菌、歯垢、歯石、煙草のやに等の口腔内の歯とその近辺に付着した汚れ成分を、上記光触媒成分の光触媒作用により、分解又は分解除去することが出来る。
【００６６】
（実施例１０）図１６は、清掃器具１８０を断面図として示した、この発明のクリーニング装置の実施例１０の説明図である。この実施例では、主として実施例９と異なる点を説明し、実施例９と共通な部分については重複を避けるために説明を出来るだけ省略する。この口腔内の清掃装置は、主として光透過性のブラッシ支持体２０に光触媒ブラッシ群１０を埴毛した清掃ヘッド１００と、このブラッシ支持体２０から延長した中空のパイブ状のハンドル部３６０とからなる歯ブラシ部（清掃器具）１８０と、ランプ・ハウス４４内に設けた短波長光源２００と、光ファイバー３００とからなる。そして上記光ファイバー３００は、その一方の端部に設けられた光ファイバー・コネクター５２により、上記光ファイバー３００と上記短波長光源２００と光結合させ、その他方の端部は上記ハンドル部３６０の中空のパイプ内を経由して上記清掃ヘッド１００と光結合される。
【００６７】
以上の各種の実施例の説明から明らかなように、本発明の光触媒を用いたクリーニング装置は、例えば、家屋、ビルディングの内部に付着した各種の汚れ成分を清掃または洗浄する清掃用具、清掃機の各種の清掃器具、口腔内を清掃する歯ブラシ等の広い範囲における各種の洗浄、清掃、掃除、除菌、殺菌に関する分野に適用できる。
【００６８】
【発明の効果】
本発明の光触媒を用いたクリーニング装置は、光触媒成分を含む柔軟性のある接触部材を持つ清掃ヘッド部と、上記光触媒成分を活性化する比較的に短波長の光線を発生する光源と、上記清掃ヘッド部と上記光源との間に設けた光を伝達する導光性部材とを備えている。上記光源から発生した短波長の光線は、上記導光性部材内部を伝達し、上記清掃ヘッド部の接触部材を照射する。したがって本発明は、上記清掃ヘッドの接触部材を、上記被清掃対象物と接触、接近させると、上記短波長の光線の照射され、活性化された、上記接触部材に含有された光触媒成分の光触媒作用により、上記被清掃対象物に付着した各種の汚れ成分を分解し、または分解除去することが出来る顕著な効果がある。
【００６９】
また、本発明の光触媒を用いたクリーニング装置は、上記清掃ヘッド部の接触部材が、多数の光触媒粒子を含有するブラシを備えている。したがって本発明は上記清掃ヘッド部に設けた上記ブラシを、上記被清掃対象物と強制的に接触させると、上記被清掃対象物の表面に付着した各種の汚れ成分を、非常に効率的に、分解し、または分解除去することが出来る顕著な効果がある。
【００７０】
更に、本発明の光触媒を用いたクリーニング装置は、上記清掃ヘッド部に設けた光触媒成分を含む柔軟性のあるブラッシ等の接触部材が、上記光源から発生した短波長の光線によって照射され、活性化された、上記接触部材に含有された光触媒成分の光触媒作用により、上記接触部材自体に付着した各種の汚れ成分を分解し、または分解除去する。したがって本発明の光触媒を用いたクリーニング装置は、上記被清掃対象物のみならず、上記清掃ヘッド部自体の汚れの付着を防止し、又付着した汚れ成分を分解、除去して清潔に保つことが出来る自己清浄効果（セルフ・クリーニング効果）がある。
【００７１】
【図面の簡単な説明】
【図１】図１は、この発明で用いる清掃ヘッド部１００を説明する、拡大斜視図である。
【図２】図２は、清掃器具１２０を断面図として示した、この発明のクリーニング装置の実施例１の説明図である。
【図３】図３は、図２で示した清掃器具１２０の断面内における光の伝達経路を示す説明図である。
【図４】図４は、図３で示した清掃ヘッド部１００とハンドル部３１０の一部を拡大断面図として示し、清掃ヘッド部１００とその近辺のハンドル部３１０断面内における光の経路を示す説明図である。
【図５】図５は、この発明の実施例１で使用する清掃ヘッド部１００におけるブラシ群１０の一本のブラシを拡大して示す拡大断面図である。
【図６】図６は、清掃器具１３０を断面図として示した、この発明のクリーニング装置の実施例２の説明図である。
【図７】図７は、清掃器具１４０を断面図として示した、この発明のクリーニング装置の実施例３の説明図である。
【図８】図８は、清掃器具１５０を断面図として示した、この発明のクリーニング装置の実施例４の説明図である。
【図９】図９は、図８で示した清掃ヘッド部１００とヘッド首部１００ａの近辺を拡大断面図として示し、光の経路を示す説明図である。
【図１０】図１０は、この発明のクリーニング装置の実施例５の清掃ヘッド部１００と首部１００ａを断面図として示した、説明図である。
【図１１】図１１は、この発明のクリーニング装置の実施例６の清掃ヘッド部１１０と首部２６を断面図として示した、説明図である。
【図１２】図１２は、この発明のクリーニング装置の実施例７の清掃ヘッド部１１２とヘッド首部２６を断面図として示した、説明図である。
【図１３】図１３は、本発明を真空掃除機に適用したこの発明のクリーニング装置の実施例８の概念的な説明図である。
【図１４】図１４は、図１３に示す実施例８の清掃ヘッド部１１４の近辺を拡大した断面図である。
【図１５】図１５は、清掃器具１７０を断面図として示した、この発明のクリーニング装置の実施例９の説明図である。
【図１６】図１６は、清掃器具１８０を断面図として示した、この発明のクリーニング装置の実施例１０の説明図である。
【００７２】
【符号の説明】
１００，１１０，１１２・・・清掃ヘッド（ｃｌｅａｎｉｎｇ  ｈｅａｄ）
１００ａ・・・首部（ｎｅｃｋ）
１２０，１３０，１４０，１５０，１６０，１７０，１８０・・・清掃器具（ｃｌｅａｎｉｎｇ  ｄｅｖｉｃｅ）
３１０，３２０，３３０，３４０，３５０，３６０・・・ハンドル部（ｈａｎｄｌｅ）
２００・・・光源（ｌｉｇｈｔ  ｓｏｕｒｃｅ）
２２０・・・ＬＥＤ光源（ＬＥＤ  ｌｉｇｈｔ  ｓｏｕｒｃｅ）
２３０・・・ＥＬ光源（ＥＬ  ｌｉｇｈｔ  ｓｏｕｒｃｅ）
３００・・・光ファイバー（ｏｐｔｉｃａｌ  ｆｉｂｅｒ）
５００・・・真空掃除機（ｖａｃｕｕｍ  ｃｌｅａｎｅｒ）
１０・・・・光触媒ブラシ群（ｇｒｏｕｐ  ｏｆ  ｂｌｕｓｅｓ）
１０ａ・・・・合成繊維の芯（ｃｏｒｅ  ｏｆ  ｐｌａｓｔｉｃ  ｆｉｂｅｒ）
１０ｂ・・・・光触媒含有合成樹脂の鞘（ｐｌａｓｔｉｃ  ｓｈｅａｔｈ  ｗｉｔｈ  ｐｈｏｔｏｃａｔａｌｙｓｔ）
１０ｃ・・・・光触媒性繊維（ｐｌａｓｔｉｃ  ｆｉｂｅｒ  ｗｉｔｈ  ｐｈｏｔｏｃａｔａｌｙｓｔ）
１０ｄ・・・・光触媒粒子（ｐｈｏｔｏｃａｔａｌｙｓｔ  ｐａｒｔｉｃｌｅ）１２・・・・通常のブラシ群（ｇｒｏｕｐ  ｏｆ  ｂｒｕｓｈｅｓ）
２０，２４，２５・・・・ブラッシ支持部（ｂｒｕｓｈｅｓ  ｓｕｐｐｏｒｔ）
２０ａ・・・ブラッシ支持部の表面
２０ｂ・・・ブラッシ支持部の裏面
２０ｃ・・・ブラッシ支持部の側面
２２・・・・光散乱粒子（ｌｉｇｈｔ  ｄｉｆｆｕｓｅｄ  ｐａｒｔｉｃｌｅ）
３０・・・・光透過性の棒（ｔｒａｎｓｐａｒｅｎｔ  ｒｏｄ）
３１・・・・光透過性被覆層（ｔｒａｎｓｐａｒｅｎｔ  ｃｏｖｅｒｉｎｇ）
３２・・・・光導入部（ｌｉｇｈｔ  ｇｕｉｄｉｎｇ  ｐｏｒｔｉｏｎ）
４０・・・・集光レンズ（ｆｏｃｕｓ  ｌｅｎｓｅ）
４２・・・・反射鏡（ｒｅｆｌｅｃｔｏｒ）
４４・・・・ランプ・ハウス（ｌａｍｐ  ｈｏｕｓｅ）
４６・・・・点灯制御回路（ｌｉｇｈｔ  ｃｏｎｔｒｏｌ  ｃｉｒｃｕｉｔ）
５０，５２，５４，５５・・・・光ファイバー・コネクター（ｏｐｔｉｃａｌ  ｆｉｂｅｒ  ｃｏｎｎｅｃｔｏｒ）
７０・・・・被清掃対象物（ｃｌｅａｎｅｄ  ｏｂｊｅｃｔ、ｏｂｊｅｃｔ  ｔｏ  ｂｅ  ｃｌｅａｎｅｄ）
７２・・・・汚れ成分（ｄｉｒｔｙ  ｃｏｍｐｏｎｅｎｔ）
【図１】
0003662068.tif 000003
【図２】
0003662068.tif 000004
【図３】
0003662068.tif 000005
【図４】
0003662068.tif 000006
【図５】
0003662068.tif 000007
【図６】
0003662068.tif 000008
【図７】
0003662068.tif 000009
【図８】
0003662068.tif 000010
【図９】
0003662068.tif 000011
【図１０】
0003662068.tif 000012
【図１１】
0003662068.tif 000013
【図１２】
0003662068.tif 000014
【図１３】
0003662068.tif 000015
【図１４】
0003662068.tif 000016
【図１５】
0003662068.tif 000017
【図１６】
0003662068.tif 000018